(57)【要約】【課題】画像や映像を視聴可能な携帯機器において、専用部品によるスタンド構造や専用ホルダーを必要とせず、手軽に起立させることができる携帯機器のスタンド構造を提供することである。【解決手段】正面側に液晶モニターを有する携帯機器において、該携帯機器の背面側に凹部を設け、前記凹部に支持部材を差し込むことによって、起立させ、立て掛けることを特徴とする。また本発明は、前記凹部がスリット状であることを特徴とする。また本発明は、前記凹部が所定のコインを差し込み可能なサイズであることを特徴とする。また本発明は、前記支持部材がコインであることを特徴とする。【選択図】図３
2010232766.tif 000002
【特許請求の範囲】
【請求項１】
正面側に液晶モニターを有する携帯機器において、該携帯機器の背面側に凹部を設け、前記凹部に支持部材を差し込むことによって、起立させ、立て掛けることを特徴とする携帯機器のスタンド構造。
【請求項２】
前記凹部がスリット状であることを特徴とする請求項１に記載の携帯機器のスタンド構造。
【請求項３】
前記凹部が所定のコインを差し込み可能なサイズであることを特徴とする請求項２に記載の携帯機器のスタンド構造。
【請求項４】
前記支持部材がコインであることを特徴とする請求項３に記載の携帯機器のスタンド構造。
【請求項５】
正面側に液晶モニターを有する携帯機器において、該携帯機器の背面側に凹部を設けたことを特徴とする携帯機器。
【請求項６】
前記凹部がスリット状であることを特徴とする請求項５に記載の携帯機器。
【請求項７】
前記凹部が所定のコインを差し込み可能なサイズであることを特徴とする請求項６に記載の携帯機器。
【発明の詳細な説明】
【技術分野】
【０００１】
本発明は携帯機器のスタンド構造に関し、特に画像や映像を視聴可能な携帯機器のスタンド構造に関する。
【背景技術】
【０００２】
最近では、ワンセグ（携帯電話・移動体端末向けの１セグメント部分受信サービス）機能付きの携帯電話機や、映像再生可能な携帯型デジタル音楽プレーヤーなどが普及し、これらによって画像や映像を視聴する際に見やすいようこれらの携帯機器を起立させるスタンド構造が求められている。
【０００３】
従来の携帯機器は専用部品で構成したスタンド構造を有するものや専用の卓上ホルダーを使用して立てる商品はあるが、殆どの商品は単独でスタンド構造を有する商品はなかった。
【０００４】
前者は専用部品で構成するため部品点数が増えるばかりでなく装置サイズが大きくなることと破損し易いなどの問題もあった。また後者の専用の卓上ホルダーは通常は持ち歩かないので自宅以外で立て掛けて使用したいときには不便なものであった。
【０００５】
特許文献１には、携帯型ラジオの背面上部に凹部を設け、この凹部にスタンド片を差し込むことによって携帯型ラジオの筐体を斜めに保持する構造を開示している。
【先行技術文献】
【特許文献】
【０００６】
【特許文献１】実開平０１−１１０４７１号公報
【発明の概要】
【発明が解決しようとする課題】
【０００７】
ところが、特許文献１に記載の考案は、ラジオを対象としており、画像や映像を視聴可能な携帯機器については考慮されていなかった。
【０００８】
本発明は上記の点にかんがみてなされたもので、画像や映像を視聴可能な携帯機器において、専用部品によるスタンド構造や専用ホルダーを必要とせず、手軽に起立させることができる携帯機器のスタンド構造を提供することを目的とする。
【課題を解決するための手段】
【０００９】
上記課題を解決するにあたり、正面側に液晶モニターを有する携帯機器において、該携帯機器の背面側に凹部を設け、前記凹部に支持部材を差し込むことによって、起立させ、立て掛けることを特徴とする。
【００１０】
また本発明は、前記凹部がスリット状であることを特徴とする。
【００１１】
また本発明は、前記凹部が所定のコインを差し込み可能なサイズであることを特徴とする。
【００１２】
また本発明は、前記支持部材がコインであることを特徴とする。
【発明の効果】
【００１３】
本発明によれば、以下のような効果を奏する。
【００１４】
本発明は、装置本体に特別な構造を設けることなく、スタンド用の専用部品を追加して構成する必要がなく、専用の卓上ホルダーを容易することもないので、最も簡単で安価な構造を提供できる。
【図面の簡単な説明】
【００１５】
【図１】本発明による携帯機器のスタンド構造の一実施形態の構成を示すブロック図であって携帯機器を正面から見た斜視図である。
【図２】図１に示した携帯機器を背面から見た斜視図である。
【図３】図１に示した携帯機器を起立させ、立て掛けた状態の、凹部３の位置での側断面図である。
【発明を実施するための形態】
【００１６】
以下、本発明の実施形態について図面を参照して詳細に説明する。
【００１７】
本発明は、近年一般的になったワンセグ（携帯電話・移動体端末向けの１セグメント部分受信サービス）機能（ＴＶ機能）付き携帯電話機やビデオが観られるｉＰｏｄ（登録商標）に代表される携帯型デジタル音楽プレーヤーなどの携帯機器で映像を観賞するときに簡単に起立させ、立て掛けることができるスタンド構造を提供するものである。
【００１８】
図１は、本発明による携帯機器のスタンド構造の一実施形態の構成を示すブロック図であって携帯機器を正面から見た斜視図である。
【００１９】
図２は、図１に示した携帯機器を背面から見た斜視図である。
【００２０】
本実施形態の携帯機器は、図１に示すように回路を内蔵した装置本体１と正面側に設けられた液晶モニター２とから主に構成される。
【００２１】
図１に示すように装置本体１は正面側に液晶モニター２を備え、図２に示すように装置本体１は背面側にスリット状の凹部３を備えている。
【００２２】
装置本体１の背面側に設けた凹部３は、一般的なコイン（硬貨）４を差し込める程度のスリット状の形状である。凹部３に差し込む支持部材は、コイン４に限らず、同様の形状のものであればいかなるものであってもかまわない。
【００２３】
次に、本実施形態の携帯機器を起立させ、立て掛ける様子を示す。図３は、図１に示した携帯機器を起立させ、立て掛けた状態の、凹部３の位置での側断面図である。
【００２４】
図３に示すように、装置本体１を起立させ、立て掛ける際には、装置本体１の背面の凹部３にコイン４の一端を差し込む。このことにより、装置本体１の下端およびコイン４の他端がたとえばテーブル面に接し、携帯機器を起立させ、立て掛けることができる。
【００２５】
凹部３のサイズは、通常誰でも持っている一般的な硬貨を差し込めるサイズで構成し、コイン４を差し込んで背面側に傾けるとスタンド構造として機能する設定としている。
【００２６】
なお、本発明は、一体型・折り畳み型・スライド型など、一般的な携帯機器のどのスタイルの商品にも適用可能な構造であり、コイン以外のものでも凹部に差し込める代替物は容易に選択可能である。
【００２７】
以上説明したように、本発明は、装置本体に特別な構造を設けることなく、スタンド用の専用部品を追加して構成する必要がなく、専用の卓上ホルダーを容易することもないので、最も簡単で安価な構造を提供できる。
【産業上の利用可能性】
【００２８】
本発明は、ワンセグ機能や映像再生機能を有する携帯電話機や、映像再生機能を有する携帯型デジタル音楽プレーヤーなどの携帯機器に適用可能である。
【符号の説明】
【００２９】
１  装置本体
２  液晶モニター
３  凹部
４  コイン
【図１】
2010232766.tif 000003
【図２】
2010232766.tif 000004
【図３】
2010232766.tif 000005